【手続補正書】
【提出日】平成19年5月18日(2007.5.18)
【手続補正１】
【補正対象書類名】明細書
【補正対象項目名】発明の名称
【補正方法】変更
【補正の内容】
【発明の名称】情報通信方法および装置、情報発信方法および装置、出力決済方法および装置、並びに記憶媒体
【手続補正２】
【補正対象書類名】明細書
【補正対象項目名】特許請求の範囲
【補正方法】変更
【補正の内容】
【特許請求の範囲】
【請求項１】  情報発信者から情報受信者に対して伝達情報を発信する情報発信工程と、前記発信された伝達情報をネットワーク経由で受信する情報受信工程と、前記受信された伝達情報を出力する工程であって出力時に出力コストを要する情報出力工程とを備える情報通信方法であって、
前記情報発信工程で伝達情報を発信する情報発信者が前記出力コストを負担するためのデータ管理を行なう出力コスト負担管理工程を備えることを特徴とする情報通信方法。
【請求項２】  前記情報受信工程における出力コストに対応する料金を課金する課金工程をさらに備え、および、
前記情報発信工程で伝達情報を発信する情報発信者が前記課金工程で課金される料金を負担することを保証するデータの管理を行なう課金料金支払いデータ管理工程を備えることを特徴とする請求項１記載の情報通信方法。
【請求項３】  前記情報発信工程で、伝達情報を発信する発信先を契約した情報受信者に限定するための契約データを管理する契約データ管理工程をさらに備えることを特徴とする請求項１記載の情報通信方法。
【請求項４】  前記情報発信工程で、伝達情報を発信する情報発信者が前記出力コストを負担するために前記情報受信者に対して前記出力コストに相当する財の移転を保証するデータの管理を行なう財移転データ管理工程を備えることを特徴とする請求項１記載の情報通信方法。
【請求項５】  前記財移転データ管理工程において前記出力コストに相当する財の移転が保証されたときにのみ、前記情報受信工程で受信した伝達情報を前記情報出力工程において出力させるように制御する出力制御工程をさらに備えることを特徴とする請求項４に記載の情報通信方法。
【請求項６】  前記財移転データ管理工程に伴って財移転データの通信を行なう財移転データ通信工程をさらに備え、
前記財移転データに基づいて前記情報出力工程で使用する消耗品を販売する時の決済データを管理することを特徴とする請求項４または５に記載の情報通信方法。
【請求項７】  前記情報出力工程において、前記伝達情報をシート状記録媒体にプリントすることを特徴とする請求項１乃至６のいずれかに記載の情報通信方法。
【請求項８】  情報発信者から情報受信者に対して伝達情報を発信する情報発信工程と、前記発信された伝達情報をネットワーク経由で受信する情報受信工程と、前記受信された伝達情報を出力する工程であって出力時に出力コストを要する情報出力工程とを備える情報通信方法を使用して情報通信を行なう時の情報発信方法であって、
前記情報発信工程で伝達情報を発信する情報発信者が前記出力コストを負担するためのデータ管理を行なう出力コスト負担管理工程と、
前記出力コスト負担管理工程に伴って管理用データの通信を行なう管理用データ通信工程とを備え、
前記情報発信工程において前記管理用データを送信することを特徴とする情報発信方法。
【請求項９】  前記情報通信方法が、前記情報受信工程における出力コストに対応する料金を課金する課金工程をさらに備え、および、
前記情報発信工程で伝達情報を発信する情報発信者が前記課金工程で課金される料金を負担することを保証するデータの管理を行なう課金料金支払いデータ管理工程と、
前記課金料金支払いデータ管理工程に伴って課金料金支払いデータの通信を行なう課金料金支払いデータ通信工程とをさらに備え、
前記情報発信工程において前記課金料金支払いデータを送信することを特徴とする請求項８記載の情報発信方法。
【請求項１０】  前記情報発信工程で伝達情報を発信する発信先を契約した情報受信者に限定するための契約データを管理する契約データ管理工程とを備え、
前記情報発信工程において前記契約データを送信することを特徴とする請求項８記載の情報発信方法。
【請求項１１】  前記情報発信工程で伝達情報を発信する情報発信者が前記出力コストを負担するために前記情報受信者に対して前記出力コストに相当する財の移転を保証するデータの管理を行なう財移転データ管理工程と、
前記財移転データ管理工程に伴って財移転データの通信を行なう財移転データ通信工程とを備え、
前記情報発信工程において前記財移転データを送信することを特徴とする請求項８記載の情報発信方法。
【請求項１２】  情報発信者から情報受信者に対して伝達情報を発信する情報発信ステップと、前記発信された伝達情報をネットワーク経由で受信する情報受信ステップと、前記受信された伝達情報を出力するステップであって出力時に出力コストを要する情報出力ステップとを備える情報通信方法のプログラムをコンピュータにより読み取り可能に記憶した記憶媒体であって、
前記プログラムは、
前記情報発信ステップで伝達情報を発信する情報発信者が前記出力コストを負担するためのデータ管理を行なう出力コスト負担管理ステップを備えることを特徴とする記憶媒体。
【請求項１３】  情報発信者から情報受信者に対して伝達情報を発信する情報発信ステップと、前記発信された伝達情報をネットワーク経由で受信する情報受信ステップと、前記受信された伝達情報を出力するステップであって出力時に出力コストを要する情報出力ステップとを備える情報通信方法を使用して情報通信を行なう時の情報発信方法のプログラムをコンピュータにより読み取り可能に記憶した記憶媒体であって、
前記プログラムは、
前記情報発信ステップで伝達情報を発信する情報発信者が前記出力コストを負担するためのデータ管理を行なう出力コスト負担管理ステップと、
前記出力コスト負担管理ステップに伴って管理用データの通信を行なう管理用データ通信ステップとを備え、
前記情報発信ステップにおいて前記管理用データを送信することを特徴とする記憶媒体。
【請求項１４】  情報発信者から情報受信者に対して伝達情報を発信する情報発信手段と、前記発信された伝達情報をネットワーク経由で受信する情報受信手段と、前記受信された伝達情報を出力する手段であって出力時に出力コストを要する情報出力手段とを備える情報通信装置であって、
前記情報発信手段で伝達情報を発信する情報発信者が前記出力コストを負担するためのデータ管理を行なう出力コスト負担管理手段を備えることを特徴とする情報通信装置。
【請求項１５】  情報発信者から情報受信者に対して伝達情報を発信する情報発信手段と、前記発信された伝達情報をネットワーク経由で受信する情報受信手段と、前記受信された伝達情報を出力する手段であって出力時に出力コストを要する情報出力手段とを備える情報通信システムにおいて情報通信を行なう情報発信装置であって、
前記情報発信手段で伝達情報を発信する情報発信者が前記出力コストを負担するためのデータ管理を行なう出力コスト負担管理手段と、
前記出力コスト負担管理手段との間で管理用データの通信を行なう管理用データ通信手段とを備え、
前記情報発信手段により前記管理用データを送信することを特徴とする情報発信装置。
【請求項１６】  情報発信者からのネットワークを介した伝達情報を情報受信者が出力コストを要する情報出力手段を用いて出力するときの前記出力コストを保証する出力コスト決済方法であって、
前記情報受信者が伝達情報出力時に前記情報出力手段が使用した消耗品の購入依頼を前記ネットワーク経由で前記情報受信者から受ける受注工程と、
伝達情報を発信した前記情報発信者が前記出力コストを負担するために前記情報受信者に対して前記出力コストに相当する財の移転を保証するために出力コスト負担管理手段によって管理されていた財移転データを前記ネットワーク経由で参照する参照工程と、
前記参照した結果にしたがって前記出力コストを決済する決済工程と
を備えることを特徴とする出力コスト決済方法。
【請求項１７】  情報発信者からのネットワークを介した伝達情報を情報受信者が出力コストを要する情報出力手段を用いて出力するときの前記出力コストを保証する出力コスト決済方法のプログラムをコンピュータにより読み取り可能に記憶した記憶媒体であって、
前記プログラムは、
前記情報受信者が伝達情報出力時に前記情報出力手段が使用した消耗品の購入依頼を前記ネットワーク経由で前記情報受信者から受ける受注ステップと、
伝達情報を発信した前記情報発信者が前記出力コストを負担するために前記情報受信者に対して前記出力コストに相当する財の移転を保証するために出力コスト負担管理手段によって管理されていた財移転データを前記ネットワーク経由で参照する参照ステップと、
前記参照した結果にしたがって前記出力コストを決済する決済ステップと
を備えることを特徴とする記憶媒体。
【請求項１８】  情報発信者からのネットワークを介した伝達情報を情報受信者が出力コストを要する情報出力手段を用いて出力するときの前記出力コストを保証する出力コスト決済装置であって、
前記情報受信者が伝達情報出力時に前記情報出力手段が使用した消耗品の購入依頼を前記ネットワーク経由で前記情報受信者から受ける受注手段と、
伝達情報を発信した前記情報発信者が前記出力コストを負担するために前記情報受信者に対して前記出力コストに相当する財の移転を保証するために出力コスト負担管理手段によって管理されていた財移転データを前記ネットワーク経由で参照する参照手段と、
前記参照した結果にしたがって前記出力コストを決済する決済手段と
を備えることを特徴とする出力コスト決済装置。
【手続補正３】
【補正対象書類名】明細書
【補正対象項目名】０００１
【補正方法】変更
【補正の内容】
【０００１】
【発明の属する技術分野】
本発明は情報通信方法および装置、情報発信方法および装置、出力決済方法および装置、並びに記憶媒体に関し、特に、情報の出力にコストを要する場合に、情報提供者など情報を発信する側の者が情報受信者に対してそのコストを補償することを主目的として財を移転することで情報通信が促進される情報通信方法および装置、情報発信方法および装置、出力決済方法および装置、並びに記憶媒体に関する。
【手続補正４】
【補正対象書類名】明細書
【補正対象項目名】００１６
【補正方法】変更
【補正の内容】
【００１６】
【課題を解決するための手段】
上記の目的を達成するために本発明は、情報発信者から情報受信者に対して伝達情報を発信する情報発信工程と、前記発信された伝達情報をネットワーク経由で受信する情報受信工程と、前記受信された伝達情報を出力する工程であって出力時に出力コストを要する情報出力工程とを備える情報通信方法であって、前記情報発信工程で伝達情報を発信する情報発信者が前記出力コストを負担するためのデータ管理を行なう出力コスト負担管理工程を備えることを特徴とする情報通信方法提供する。
【手続補正５】
【補正対象書類名】明細書
【補正対象項目名】００１７
【補正方法】変更
【補正の内容】
【００１７】
ここで、前記情報受信工程における出力コストに対応する料金を課金する課金工程をさらに備え、および、前記情報発信工程で伝達情報を発信する情報発信者が前記課金工程で課金される料金を負担することを保証するデータの管理を行なう課金料金支払いデータ管理工程を備えることができる。
【手続補正６】
【補正対象書類名】明細書
【補正対象項目名】００１８
【補正方法】変更
【補正の内容】
【００１８】
ここで、前記情報発信工程で、伝達情報を発信する発信先を契約した情報受信者に限定するための契約データを管理する契約データ管理工程をさらに備えることができる。
【手続補正７】
【補正対象書類名】明細書
【補正対象項目名】００１９
【補正方法】変更
【補正の内容】
【００１９】
ここで、前記情報発信工程で、伝達情報を発信する情報発信者が前記出力コストを負担するために前記情報受信者に対して前記出力コストに相当する財の移転を保証するデータの管理を行なう財移転データ管理工程を備えることができる。
【手続補正８】
【補正対象書類名】明細書
【補正対象項目名】００２０
【補正方法】変更
【補正の内容】
【００２０】
ここで、前記財移転データ管理工程において前記出力コストに相当する財の移転が保証されたときにのみ、前記情報受信工程で受信した伝達情報を前記情報出力工程において出力させるように制御する出力制御工程をさらに備えることができる。
【手続補正９】
【補正対象書類名】明細書
【補正対象項目名】００２１
【補正方法】変更
【補正の内容】
【００２１】
ここで、前記財移転データ管理工程に伴って財移転データの通信を行なう財移転データ通信工程をさらに備え、前記財移転データに基づいて前記情報出力工程で使用する消耗品を販売する時の決済データを管理することができる。
【手続補正１０】
【補正対象書類名】明細書
【補正対象項目名】００２２
【補正方法】変更
【補正の内容】
【００２２】
ここで、前記情報出力工程において、前記伝達情報をシート状記録媒体にプリントすることができる。
【手続補正１１】
【補正対象書類名】明細書
【補正対象項目名】００２３
【補正方法】変更
【補正の内容】
【００２３】
本発明はさらに、情報発信者から情報受信者に対して伝達情報を発信する情報発信工程と、前記発信された伝達情報をネットワーク経由で受信する情報受信工程と、前記受信された伝達情報を出力する工程であって出力時に出力コストを要する情報出力工程とを備える情報通信方法を使用して情報通信を行なう時の情報発信方法であって、前記情報発信工程で伝達情報を発信する情報発信者が前記出力コストを負担するためのデータ管理を行なう出力コスト負担管理工程と、前記出力コスト負担管理工程に伴って管理用データの通信を行なう管理用データ通信工程とを備え、前記情報発信工程において前記管理用データを送信することを特徴とする情報発信方法提供する。
【手続補正１２】
【補正対象書類名】明細書
【補正対象項目名】００２４
【補正方法】変更
【補正の内容】
【００２４】
ここで、前記情報通信方法が、前記情報受信工程における出力コストに対応する料金を課金する課金工程をさらに備え、および、前記情報発信工程で伝達情報を発信する情報発信者が前記課金工程で課金される料金を負担することを保証するデータの管理を行なう課金料金支払いデータ管理工程と、前記課金料金支払いデータ管理工程に伴って課金料金支払いデータの通信を行なう課金料金支払いデータ通信工程とをさらに備え、前記情報発信工程において前記課金料金支払いデータを送信することができる。
【手続補正１３】
【補正対象書類名】明細書
【補正対象項目名】００２５
【補正方法】変更
【補正の内容】
【００２５】
ここで、前記情報発信工程で伝達情報を発信する発信先を契約した情報受信者に限定するための契約データを管理する契約データ管理工程とを備え、前記情報発信工程において前記契約データを送信することができる。
【手続補正１４】
【補正対象書類名】明細書
【補正対象項目名】００２６
【補正方法】変更
【補正の内容】
【００２６】
ここで、前記情報発信工程で伝達情報を発信する情報発信者が前記出力コストを負担するために前記情報受信者に対して前記出力コストに相当する財の移転を保証するデータの管理を行なう財移転データ管理工程と、前記財移転データ管理工程に伴って財移転データの通信を行なう財移転データ通信工程とを備え、前記情報発信工程において前記財移転データを送信することができる。
【手続補正１５】
【補正対象書類名】明細書
【補正対象項目名】００２７
【補正方法】変更
【補正の内容】
【００２７】
本発明はさらに、情報発信者から情報受信者に対して伝達情報を発信する情報発信ステップと、前記発信された伝達情報をネットワーク経由で受信する情報受信ステップと、前記受信された伝達情報を出力するステップであって出力時に出力コストを要する情報出力ステップとを備える情報通信方法のプログラムをコンピュータにより読み取り可能に記憶した記憶媒体であって、前記プログラムは、前記情報発信ステップで伝達情報を発信する情報発信者が前記出力コストを負担するためのデータ管理を行なう出力コスト負担管理ステップを備えることを特徴とする記憶媒体を提供する。
【手続補正１６】
【補正対象書類名】明細書
【補正対象項目名】００２８
【補正方法】変更
【補正の内容】
【００２８】
本発明はさらに、情報発信者から情報受信者に対して伝達情報を発信する情報発信ステップと、前記発信された伝達情報をネットワーク経由で受信する情報受信ステップと、前記受信された伝達情報を出力するステップであって出力時に出力コストを要する情報出力ステップとを備える情報通信方法を使用して情報通信を行なう時の情報発信方法のプログラムをコンピュータにより読み取り可能に記憶した記憶媒体であって、前記プログラムは、前記情報発信ステップで伝達情報を発信する情報発信者が前記出力コストを負担するためのデータ管理を行なう出力コスト負担管理ステップと、前記出力コスト負担管理ステップに伴って管理用データの通信を行なう管理用データ通信ステップとを備え、前記情報発信ステップにおいて前記管理用データを送信することを特徴とする記憶媒体を提供する。
【手続補正１７】
【補正対象書類名】明細書
【補正対象項目名】００２９
【補正方法】変更
【補正の内容】
【００２９】
本発明はさらに、情報発信者から情報受信者に対して伝達情報を発信する情報発信手段と、前記発信された伝達情報をネットワーク経由で受信する情報受信手段と、前記受信された伝達情報を出力する手段であって出力時に出力コストを要する情報出力手段とを備える情報通信装置であって、前記情報発信手段で伝達情報を発信する情報発信者が前記出力コストを負担するためのデータ管理を行なう出力コスト負担管理手段を備えることを特徴とする情報通信装置を提供する。
【手続補正１８】
【補正対象書類名】明細書
【補正対象項目名】００３０
【補正方法】変更
【補正の内容】
【００３０】
本発明はさらに、情報発信者から情報受信者に対して伝達情報を発信する情報発信手段と、前記発信された伝達情報をネットワーク経由で受信する情報受信手段と、前記受信された伝達情報を出力する手段であって出力時に出力コストを要する情報出力手段とを備える情報通信システムにおいて情報通信を行なう情報発信装置であって、前記情報発信手段で伝達情報を発信する情報発信者が前記出力コストを負担するためのデータ管理を行なう出力コスト負担管理手段と、前記出力コスト負担管理手段との間で管理用データの通信を行なう管理用データ通信手段とを備え、前記情報発信手段により前記管理用データを送信することを特徴とする情報発信装置を提供する。
【手続補正１９】
【補正対象書類名】明細書
【補正対象項目名】００３１
【補正方法】変更
【補正の内容】
【００３１】
本発明はさらに、情報発信者からのネットワークを介した伝達情報を情報受信者が出力コストを要する情報出力手段を用いて出力するときの前記出力コストを保証する出力コスト決済方法であって、前記情報受信者が伝達情報出力時に前記情報出力手段が使用した消耗品の購入依頼を前記ネットワーク経由で前記情報受信者から受ける受注工程と、伝達情報を発信した前記情報発信者が前記出力コストを負担するために前記情報受信者に対して前記出力コストに相当する財の移転を保証するために出力コスト負担管理手段によって管理されていた財移転データを前記ネットワーク経由で参照する参照工程と、前記参照した結果にしたがって前記出力コストを決済する決済工程とを備えることを特徴とする出力コスト決済方法を提供する。
【手続補正２０】
【補正対象書類名】明細書
【補正対象項目名】００３２
【補正方法】変更
【補正の内容】
【００３２】
本発明はさらに、情報発信者からのネットワークを介した伝達情報を情報受信者が出力コストを要する情報出力手段を用いて出力するときの前記出力コストを保証する出力コスト決済方法のプログラムをコンピュータにより読み取り可能に記憶した記憶媒体であって、前記プログラムは、前記情報受信者が伝達情報出力時に前記情報出力手段が使用した消耗品の購入依頼を前記ネットワーク経由で前記情報受信者から受ける受注ステップと、伝達情報を発信した前記情報発信者が前記出力コストを負担するために前記情報受信者に対して前記出力コストに相当する財の移転を保証するために出力コスト負担管理手段によって管理されていた財移転データを前記ネットワーク経由で参照する参照ステップと、前記参照した結果にしたがって前記出力コストを決済する決済ステップとを備えることを特徴とする記憶媒体を提供する。
【手続補正２１】
【補正対象書類名】明細書
【補正対象項目名】００３３
【補正方法】変更
【補正の内容】
【００３３】
本発明はさらに、情報発信者からのネットワークを介した伝達情報を情報受信者が出力コストを要する情報出力手段を用いて出力するときの前記出力コストを保証する出力コスト決済装置であって、前記情報受信者が伝達情報出力時に前記情報出力手段が使用した消耗品の購入依頼を前記ネットワーク経由で前記情報受信者から受ける受注手段と、伝達情報を発信した前記情報発信者が前記出力コストを負担するために前記情報受信者に対して前記出力コストに相当する財の移転を保証するために出力コスト負担管理手段によって管理されていた財移転データを前記ネットワーク経由で参照する参照手段と、前記参照した結果にしたがって前記出力コストを決済する決済手段とを備えることを特徴とする出力コスト決済装置を提供する。
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】削除
【補正の内容】
【手続補正４５】
【補正対象書類名】明細書
【補正対象項目名】００５７
【補正方法】削除
【補正の内容】
【手続補正４６】
【補正対象書類名】明細書
【補正対象項目名】００５８
【補正方法】削除
【補正の内容】
【手続補正４７】
【補正対象書類名】明細書
【補正対象項目名】００５９
【補正方法】削除
【補正の内容】
【手続補正４８】
【補正対象書類名】明細書
【補正対象項目名】００６０
【補正方法】削除
【補正の内容】
【手続補正４９】
【補正対象書類名】明細書
【補正対象項目名】００６１
【補正方法】削除
【補正の内容】
【手続補正５０】
【補正対象書類名】明細書
【補正対象項目名】００６２
【補正方法】削除
【補正の内容】
【手続補正５１】
【補正対象書類名】明細書
【補正対象項目名】００６３
【補正方法】削除
【補正の内容】
【手続補正５２】
【補正対象書類名】明細書
【補正対象項目名】００６４
【補正方法】削除
【補正の内容】
【手続補正５３】
【補正対象書類名】明細書
【補正対象項目名】００６５
【補正方法】削除
【補正の内容】
【手続補正５４】
【補正対象書類名】明細書
【補正対象項目名】００６６
【補正方法】削除
【補正の内容】
【手続補正５５】
【補正対象書類名】明細書
【補正対象項目名】００６７
【補正方法】削除
【補正の内容】
【手続補正５６】
【補正対象書類名】明細書
【補正対象項目名】００６８
【補正方法】削除
【補正の内容】
【手続補正５７】
【補正対象書類名】明細書
【補正対象項目名】００６９
【補正方法】削除
【補正の内容】
【手続補正５８】
【補正対象書類名】明細書
【補正対象項目名】００７０
【補正方法】削除
【補正の内容】
【手続補正５９】
【補正対象書類名】明細書
【補正対象項目名】００７１
【補正方法】削除
【補正の内容】
【手続補正６０】
【補正対象書類名】明細書
【補正対象項目名】００７２
【補正方法】削除
【補正の内容】
【手続補正６１】
【補正対象書類名】明細書
【補正対象項目名】００７３
【補正方法】削除
【補正の内容】
【手続補正６２】
【補正対象書類名】明細書
【補正対象項目名】００７４
【補正方法】削除
【補正の内容】
【手続補正６３】
【補正対象書類名】明細書
【補正対象項目名】００７５
【補正方法】削除
【補正の内容】
【手続補正６４】
【補正対象書類名】明細書
【補正対象項目名】００７６
【補正方法】削除
【補正の内容】
【手続補正６５】
【補正対象書類名】明細書
【補正対象項目名】００７７
【補正方法】削除
【補正の内容】
【手続補正６６】
【補正対象書類名】明細書
【補正対象項目名】００７８
【補正方法】削除
【補正の内容】
【手続補正６７】
【補正対象書類名】明細書
【補正対象項目名】００７９
【補正方法】削除
【補正の内容】
【手続補正６８】
【補正対象書類名】明細書
【補正対象項目名】００８０
【補正方法】削除
【補正の内容】
【手続補正６９】
【補正対象書類名】明細書
【補正対象項目名】００８１
【補正方法】削除
【補正の内容】
【手続補正７０】
【補正対象書類名】明細書
【補正対象項目名】００８２
【補正方法】削除
【補正の内容】
【手続補正７１】
【補正対象書類名】明細書
【補正対象項目名】００８３
【補正方法】削除
【補正の内容】
【手続補正７２】
【補正対象書類名】明細書
【補正対象項目名】００８４
【補正方法】削除
【補正の内容】
【手続補正７３】
【補正対象書類名】明細書
【補正対象項目名】００８５
【補正方法】削除
【補正の内容】
【手続補正７４】
【補正対象書類名】明細書
【補正対象項目名】００８６
【補正方法】削除
【補正の内容】
【手続補正７５】
【補正対象書類名】明細書
【補正対象項目名】００８７
【補正方法】削除
【補正の内容】
【手続補正７６】
【補正対象書類名】明細書
【補正対象項目名】００８８
【補正方法】削除
【補正の内容】
【手続補正７７】
【補正対象書類名】明細書
【補正対象項目名】００８９
【補正方法】削除
【補正の内容】
【手続補正７８】
【補正対象書類名】明細書
【補正対象項目名】００９０
【補正方法】削除
【補正の内容】
【手続補正７９】
【補正対象書類名】明細書
【補正対象項目名】００９１
【補正方法】削除
【補正の内容】
【手続補正８０】
【補正対象書類名】明細書
【補正対象項目名】００９２
【補正方法】削除
【補正の内容】
【手続補正８１】
【補正対象書類名】明細書
【補正対象項目名】００９３
【補正方法】削除
【補正の内容】
【手続補正８２】
【補正対象書類名】明細書
【補正対象項目名】００９４
【補正方法】削除
【補正の内容】
【手続補正８３】
【補正対象書類名】明細書
【補正対象項目名】００９５
【補正方法】削除
【補正の内容】
【手続補正８４】
【補正対象書類名】明細書
【補正対象項目名】００９６
【補正方法】削除
【補正の内容】
【手続補正８５】
【補正対象書類名】明細書
【補正対象項目名】００９７
【補正方法】削除
【補正の内容】
【手続補正８６】
【補正対象書類名】明細書
【補正対象項目名】００９８
【補正方法】削除
【補正の内容】
【手続補正８７】
【補正対象書類名】明細書
【補正対象項目名】００９９
【補正方法】削除
【補正の内容】
【手続補正８８】
【補正対象書類名】明細書
【補正対象項目名】０１００
【補正方法】削除
【補正の内容】
【手続補正８９】
【補正対象書類名】明細書
【補正対象項目名】０１０１
【補正方法】削除
【補正の内容】
【手続補正９０】
【補正対象書類名】明細書
【補正対象項目名】０１０２
【補正方法】削除
【補正の内容】
【手続補正９１】
【補正対象書類名】明細書
【補正対象項目名】０１０３
【補正方法】削除
【補正の内容】
【手続補正９２】
【補正対象書類名】明細書
【補正対象項目名】０１０４
【補正方法】削除
【補正の内容】
【手続補正９３】
【補正対象書類名】明細書
【補正対象項目名】０１０５
【補正方法】削除
【補正の内容】
【手続補正９４】
【補正対象書類名】明細書
【補正対象項目名】０１０６
【補正方法】削除
【補正の内容】
【手続補正９５】
【補正対象書類名】明細書
【補正対象項目名】０１０７
【補正方法】削除
【補正の内容】
【手続補正９６】
【補正対象書類名】明細書
【補正対象項目名】０１０８
【補正方法】削除
【補正の内容】
【手続補正９７】
【補正対象書類名】明細書
【補正対象項目名】０１０９
【補正方法】削除
【補正の内容】
【手続補正９８】
【補正対象書類名】明細書
【補正対象項目名】０１１０
【補正方法】削除
【補正の内容】
【手続補正９９】
【補正対象書類名】明細書
【補正対象項目名】０１１１
【補正方法】削除
【補正の内容】
【手続補正１００】
【補正対象書類名】明細書
【補正対象項目名】０１１２
【補正方法】削除
【補正の内容】
【手続補正１０１】
【補正対象書類名】明細書
【補正対象項目名】０１１３
【補正方法】削除
【補正の内容】
【手続補正１０２】
【補正対象書類名】明細書
【補正対象項目名】０１１４
【補正方法】削除
【補正の内容】
【手続補正１０３】
【補正対象書類名】明細書
【補正対象項目名】０１１５
【補正方法】削除
【補正の内容】
【手続補正１０４】
【補正対象書類名】明細書
【補正対象項目名】０１１６
【補正方法】削除
【補正の内容】
【手続補正１０５】
【補正対象書類名】明細書
【補正対象項目名】０１１７
【補正方法】削除
【補正の内容】
【手続補正１０６】
【補正対象書類名】明細書
【補正対象項目名】０１１８
【補正方法】削除
【補正の内容】
【手続補正１０７】
【補正対象書類名】明細書
【補正対象項目名】０１１９
【補正方法】削除
【補正の内容】
【手続補正１０８】
【補正対象書類名】明細書
【補正対象項目名】０１２０
【補正方法】削除
【補正の内容】
【手続補正１０９】
【補正対象書類名】明細書
【補正対象項目名】０１２１
【補正方法】削除
【補正の内容】
【手続補正１１０】
【補正対象書類名】明細書
【補正対象項目名】０１２２
【補正方法】削除
【補正の内容】
【手続補正１１１】
【補正対象書類名】明細書
【補正対象項目名】０１２３
【補正方法】削除
【補正の内容】
【手続補正１１２】
【補正対象書類名】明細書
【補正対象項目名】０１２４
【補正方法】削除
【補正の内容】
【手続補正１１３】
【補正対象書類名】明細書
【補正対象項目名】０１２５
【補正方法】削除
【補正の内容】
【手続補正１１４】
【補正対象書類名】明細書
【補正対象項目名】０１２６
【補正方法】削除
【補正の内容】
【手続補正１１５】
【補正対象書類名】明細書
【補正対象項目名】０１２７
【補正方法】削除
【補正の内容】
【手続補正１１６】
【補正対象書類名】明細書
【補正対象項目名】０１２８
【補正方法】削除
【補正の内容】
【手続補正１１７】
【補正対象書類名】明細書
【補正対象項目名】０１２９
【補正方法】削除
【補正の内容】
【手続補正１１８】
【補正対象書類名】明細書
【補正対象項目名】０１３０
【補正方法】削除
【補正の内容】
【手続補正１１９】
【補正対象書類名】明細書
【補正対象項目名】０１３１
【補正方法】削除
【補正の内容】
【手続補正１２０】
【補正対象書類名】明細書
【補正対象項目名】０１３２
【補正方法】削除
【補正の内容】
【手続補正１２１】
【補正対象書類名】明細書
【補正対象項目名】０１３３
【補正方法】削除
【補正の内容】
【手続補正１２２】
【補正対象書類名】明細書
【補正対象項目名】０１３４
【補正方法】削除
【補正の内容】
【手続補正１２３】
【補正対象書類名】明細書
【補正対象項目名】０１３５
【補正方法】削除
【補正の内容】
【手続補正１２４】
【補正対象書類名】明細書
【補正対象項目名】０１３６
【補正方法】削除
【補正の内容】
【手続補正１２５】
【補正対象書類名】明細書
【補正対象項目名】０１３７
【補正方法】削除
【補正の内容】
【手続補正１２６】
【補正対象書類名】明細書
【補正対象項目名】０１３８
【補正方法】削除
【補正の内容】
【手続補正１２７】
【補正対象書類名】明細書
【補正対象項目名】０１３９
【補正方法】削除
【補正の内容】
【手続補正１２８】
【補正対象書類名】明細書
【補正対象項目名】０１４０
【補正方法】削除
【補正の内容】
【手続補正１２９】
【補正対象書類名】明細書
【補正対象項目名】０１４１
【補正方法】削除
【補正の内容】
【手続補正１３０】
【補正対象書類名】明細書
【補正対象項目名】０１４２
【補正方法】削除
【補正の内容】
【手続補正１３１】
【補正対象書類名】明細書
【補正対象項目名】０１４３
【補正方法】削除
【補正の内容】
【手続補正１３２】
【補正対象書類名】明細書
【補正対象項目名】０１４４
【補正方法】削除
【補正の内容】
【手続補正１３３】
【補正対象書類名】明細書
【補正対象項目名】０１４５
【補正方法】削除
【補正の内容】
【手続補正１３４】
【補正対象書類名】明細書
【補正対象項目名】０１４６
【補正方法】削除
【補正の内容】
【手続補正１３５】
【補正対象書類名】明細書
【補正対象項目名】０１４７
【補正方法】削除
【補正の内容】
【手続補正１３６】
【補正対象書類名】明細書
【補正対象項目名】０１４８
【補正方法】削除
【補正の内容】
【手続補正１３７】
【補正対象書類名】明細書
【補正対象項目名】０１４９
【補正方法】削除
【補正の内容】
【手続補正１３８】
【補正対象書類名】明細書
【補正対象項目名】０１５０
【補正方法】削除
【補正の内容】
【手続補正１３９】
【補正対象書類名】明細書
【補正対象項目名】０１５１
【補正方法】削除
【補正の内容】
【手続補正１４０】
【補正対象書類名】明細書
【補正対象項目名】０１５２
【補正方法】削除
【補正の内容】
【手続補正１４１】
【補正対象書類名】明細書
【補正対象項目名】０１５３
【補正方法】削除
【補正の内容】
【手続補正１４２】
【補正対象書類名】明細書
【補正対象項目名】０１５４
【補正方法】削除
【補正の内容】
【手続補正１４３】
【補正対象書類名】明細書
【補正対象項目名】０１５５
【補正方法】削除
【補正の内容】
【手続補正１４４】
【補正対象書類名】明細書
【補正対象項目名】０１５６
【補正方法】削除
【補正の内容】
【手続補正１４５】
【補正対象書類名】明細書
【補正対象項目名】０１５７
【補正方法】削除
【補正の内容】
【手続補正１４６】
【補正対象書類名】明細書
【補正対象項目名】０１５８
【補正方法】削除
【補正の内容】
【手続補正１４７】
【補正対象書類名】明細書
【補正対象項目名】０１５９
【補正方法】削除
【補正の内容】
【手続補正１４８】
【補正対象書類名】明細書
【補正対象項目名】０１６０
【補正方法】削除
【補正の内容】
【手続補正１４９】
【補正対象書類名】明細書
【補正対象項目名】０１６１
【補正方法】削除
【補正の内容】
【手続補正１５０】
【補正対象書類名】明細書
【補正対象項目名】０１６２
【補正方法】削除
【補正の内容】
【手続補正１５１】
【補正対象書類名】明細書
【補正対象項目名】０１６３
【補正方法】削除
【補正の内容】
【手続補正１５２】
【補正対象書類名】明細書
【補正対象項目名】０１６４
【補正方法】削除
【補正の内容】
【手続補正１５３】
【補正対象書類名】明細書
【補正対象項目名】０１６５
【補正方法】削除
【補正の内容】
【手続補正１５４】
【補正対象書類名】明細書
【補正対象項目名】０１６６
【補正方法】削除
【補正の内容】
【手続補正１５５】
【補正対象書類名】明細書
【補正対象項目名】０１６７
【補正方法】削除
【補正の内容】
【手続補正１５６】
【補正対象書類名】明細書
【補正対象項目名】０１６８
【補正方法】削除
【補正の内容】
【手続補正１５７】
【補正対象書類名】明細書
【補正対象項目名】０１６９
【補正方法】削除
【補正の内容】
【手続補正１５８】
【補正対象書類名】明細書
【補正対象項目名】０１７０
【補正方法】削除
【補正の内容】
【手続補正１５９】
【補正対象書類名】明細書
【補正対象項目名】０１７１
【補正方法】削除
【補正の内容】
【手続補正１６０】
【補正対象書類名】明細書
【補正対象項目名】０１７２
【補正方法】削除
【補正の内容】
【手続補正１６１】
【補正対象書類名】明細書
【補正対象項目名】０１７３
【補正方法】削除
【補正の内容】
【手続補正１６２】
【補正対象書類名】明細書
【補正対象項目名】０１７４
【補正方法】削除
【補正の内容】
【手続補正１６３】
【補正対象書類名】明細書
【補正対象項目名】０１７５
【補正方法】削除
【補正の内容】
【手続補正１６４】
【補正対象書類名】明細書
【補正対象項目名】０１７６
【補正方法】削除
【補正の内容】
【手続補正１６５】
【補正対象書類名】明細書
【補正対象項目名】０１７７
【補正方法】削除
【補正の内容】
【手続補正１６６】
【補正対象書類名】明細書
【補正対象項目名】０１７８
【補正方法】削除
【補正の内容】
【手続補正１６７】
【補正対象書類名】明細書
【補正対象項目名】０１７９
【補正方法】削除
【補正の内容】
【手続補正１６８】
【補正対象書類名】明細書
【補正対象項目名】０１８０
【補正方法】削除
【補正の内容】
【手続補正１６９】
【補正対象書類名】明細書
【補正対象項目名】０１８１
【補正方法】削除
【補正の内容】
【手続補正１７０】
【補正対象書類名】明細書
【補正対象項目名】０１８２
【補正方法】削除
【補正の内容】
【手続補正１７１】
【補正対象書類名】明細書
【補正対象項目名】０１８３
【補正方法】削除
【補正の内容】
【手続補正１７２】
【補正対象書類名】明細書
【補正対象項目名】０１８４
【補正方法】削除
【補正の内容】
【手続補正１７３】
【補正対象書類名】明細書
【補正対象項目名】０１８５
【補正方法】削除
【補正の内容】
【手続補正１７４】
【補正対象書類名】明細書
【補正対象項目名】０４２４
【補正方法】変更
【補正の内容】
【０４２４】
【発明の効果】
以上説明したように、本発明によれば、情報出力工程または情報出力手段が情報出力にコストを要する方法または装置においても、情報発信者がその出力コストを負担させ、情報発信者が情報通信コストを負担することが社会通念上妥当な場合の情報通信が促進されるという効果がある。